(57)【特許請求の範囲】
【請求項１】
変圧器を含む電気機器を外箱内に収容した構造を有して、前記外箱の外壁に設けられた換気口にルーバーが取り付けられた地上設置型変圧器装置において、
前記ルーバーは、前記換気口を塞ぐように配置される主板部と前記換気口の周縁部に取り付けられる取付部とを有する金属板からなっていて上下方向に並ぶ複数の横長の通気口が前記主板部を貫通して設けられるとともに、該複数の通気口のそれぞれの下側の縁部に基端部が一体化された状態で前記主板部の表面側から裏面側に斜め上方に突出した複数の横長の羽板が前記複数の通気口のそれぞれの内側に設けられた第１及び第２のルーバーエレメントを備え、
前記第１のルーバーエレメント及び第２のルーバーエレメントは、それぞれの主板部の表面を前記外箱の外側及び内側に向け、かつそれぞれの羽板どうしを対向させた状態で配置されて、該第１及び第２のルーバーエレメントの取付部が前記換気口の周縁部に取り付けられ、
前記第１及び第２のルーバーエレメントのそれぞれの羽板は、上下方向に相対的に位置をずらした状態で設けられていて、前記第１のルーバーエレメントの隣り合う羽板の間に形成された各隙間が前記第２のルーバーエレメントの何れかの羽板により前記外箱内に収容された機器から隠されるように、前記第１及び第２のルーバーエレメントの羽の位置ずらし量と両ルーバーエレメントの羽板の大きさとが設定されていること、
を特徴とする地上設置型変圧器装置。
【請求項２】
前記第１及び第２のルーバーエレメントの各羽板は、それぞれのルーバーエレメントを構成する金属板の一部をカットすることにより形成された横長のＵ字形の切り込みの内側の部分を斜めに折り曲げることにより形成されていることを特徴とする請求項１に記載の地上設置型変圧器装置。
【請求項３】
前記換気口は四角形の輪郭形状を有するように形成され、
前記第１のルーバーエレメントは、前記主板部を構成する四角形の底板部と該底板部の４辺から同じ側に直角に突出した４つの側板部とを有して４つの側板部の底板部と反対側の端部が開口端となっている箱状の本体部と、該本体部の開口端に形成されて前記取付け部を構成する外鍔部とを有して、前記複数の通気口と羽板とが、各羽板を前記本体部の内側に位置させた状態で前記底板部に形成され、
前記第２のルーバーエレメントは、４辺に沿う周縁部が前記取付け部を構成し、該取付け部により囲まれた領域が前記主板部となっている四角形の板からなっていて、前記主板部に前記複数の通気口と羽板とが形成され、
前記第１のルーバーエレメントの底板部の外面が前記第１のルーバーエレメントの主板部の表面となっていて、前記第１のルーバーエレメントが、その底板部の外面を前記外箱の外側に向けた状態で配置され、
前記第２のルーバーエレメントは、その羽板を前記第１のルーバーエレメントの羽板と対向させ、その取付部を前記第１のルーバーエレメントの取付部を構成する外鍔部に重ね合わせた状態で配置され、
前記第１のルーバーエレメントの外鍔部と第２のルーバーエレメントの取付部とがネジで共締めされて前記換気口の周縁部に締結されている請求項１または２に記載の地上設置型変圧器装置。
【請求項４】
前記換気口の下部に、前記第２のルーバーエレメントに沿って流下した雨水を受ける雨受け部材が取り付けられ、
前記第２のルーバーエレメントの下部には、前記雨受け部材内に溜まった水を前記第１のルーバーエレメント内に排出するための排出口が形成され、
前記第１のルーバーエレメントの本体部の下端側に設けられた側板には、前記第１のルーバーエレメント内に流入した水を下方に落下させる水抜き孔が形成されていること、
を特徴とする請求項３に記載の地上設置型変圧器装置。
【請求項５】
前記第１のルーバーエレメントの外面側に、該第１のルーバーエレメントの通気孔全体を塞ぐ閉止蓋を着脱可能に取り付ける閉止蓋取付け具が取り付けられていることを特徴とする請求項３又は４に記載の地上設置型変圧器装置。
【発明の詳細な説明】
【技術分野】
【０００１】
本発明は、歩道上等に設置される地上設置型変圧器装置に関するものである。
【背景技術】
【０００２】
地上設置型変圧器装置は、外箱内に配電用変圧器を含む電気機器を収容した構造を有するもので、通常は歩道の路肩等に設置される。外箱内に収容された変圧器は、運転に伴って熱を生じるため、外箱の外壁には外箱内の熱気を外部に排出し、外部の冷気を外箱内に流入させるための換気口が設けられる。通行人が換気口を通して外箱内の機器に手を触れたり、換気口を通して外箱内に異物が挿入されたりするのを防止するため、換気口には、ルーバー（ガラリとも呼ばれる。）が取り付けられる。
【０００３】
図７及び図８は、地上設置型変圧器装置に広く用いられているルーバー１を示している。このルーバーは、四角形状の金属板２からなっていて、該金属板を貫通させて上下方向に沿って並ぶ複数の横長の通気口３，３，…（図８参照）が形成され、これらの通気口３，３，…をそれぞれ隠すように、通気口３，３，…にそれぞれ対応する複数の羽板４，４，…が形成されている。
【０００４】
各羽板４は、対応する通気口３の上下の縁部３ａ，３ｂの内の上側の縁部３ａに基端部を一体化した状態で設けられていて、金属板２の一面から斜め下方に突出するように折曲げ成形されている。
【０００５】
図示のルーバー１は、その金属板２の周辺部を、図示しない地上設置型変圧器装置の外箱の外壁に設けられた四角形の通気口の周辺部に当接させた状態で配置されて、外箱の外壁にネジ止めされる。
【０００６】
図７及び図８に示したルーバー１は、比較的大きな物が外箱内に侵入するのを防ぐ機能は有するが、図５に示したように、隣り合う羽板４，４の間の隙間を通して棒５のような細い異物が挿入された場合には、その異物が外箱内に侵入するのを阻止することができない。従って、上記のようなルーバが換気口に取り付けられた地上設置型変圧器装置を歩道上に設置した場合、隣り合う羽板４，４の間の隙間を通して棒５等の異物を外箱内に差し込むいたずらがされて、感電事故が発生したり、地絡事故が発生したりするおそれがある。異物の挿入を不可能にするために、ルーバーに設ける通気口を十分に小さくすることが考えられるが、異物の侵入を不可能にする程度まで通気口を小さくすると、外箱内の換気を効率よく行うことができなくなるため、外箱内の温度が上昇し、変圧器装置の運転に支障を来す。
【０００７】
そこで、特許文献１に示されているように、山形の断面形状を有する羽板を備えたルーバーが提案された。特許文献１に示された換気口は、図９に示されているように、外側に配置される傾斜板４ａ′と内側に配置される傾斜板４ｂ′とを有する多数の山形の（逆Ｖ字形の）羽板４′を上下方向に並べて配置して、これらの羽板を連結支持部材６により連結した構造を有している。このルーバー１′によれば、隣り合う山形の羽板相互間の位置関係を適宜に設定することにより、外箱内への異物の挿入を阻止することができる。
【先行技術文献】
【特許文献】
【０００８】
【特許文献１】特開２００３−２７４５２３号公報
【発明の概要】
【発明が解決しようとする課題】
【０００９】
図９に示されたルーバー１′は、多数の山形の羽板４′を上下に並べて連結した構造を有するため、羽板の製作に手間がかかるだででなく、ルーバーの構造が複雑になるという問題があった。また、山形の羽板４′と連結部材６とを連結するために溶接が必要になるため、ルーバーの製造に手間がかかり、その製造コストが高くなるのを避けられなかった。
【００１０】
本発明の目的は、コストの上昇を伴うことなく、外箱内への異物の挿入を確実に防ぐ機能をルーバーに持たせることができるようにした地上設置型変圧器装置を提供することにある。
【課題を解決するための手段】
【００１１】
本発明は、変圧器を含む電気機器を外箱内に収容した構造を有して、外箱の外壁に設けられた換気口にルーバーが取り付けられた地上設置型変圧器装置を対象とする。
【００１２】
本発明においては、上記ルーバーが、換気口を塞ぐように配置される主板部と換気口の周縁部に取り付けられる取付部とを有する金属板からなっていて上下方向に並ぶ複数の横長の通気口が主板部を貫通して設けられるとともに、該複数の通気口のそれぞれの下側の縁部に基端部が一体化された状態で主板部の表面側から裏面側に斜め上方に突出した複数の横長の羽板が複数の通気口のそれぞれの内側に設けられた第１及び第２のルーバーエレメントを備えている。
【００１３】
第１のルーバーエレメント及び第２のルーバーエレメントは、それぞれの主板部の表面を外箱の外側及び内側に向け、かつそれぞれの羽板どうしを対向させた状態で配置されて、該第１及び第２のルーバーエレメントの取付部が換気口の周縁部に取り付けられる。第１及び第２のルーバーエレメントのそれぞれの羽板は、上下方向に相対的に位置をずらした状態で設けられていて、第１のルーバーエレメントの隣り合う羽板の間に形成された各隙間が第２のルーバーエレメントの何れかの羽板により外箱内に収容された機器から隠されるように、第１及び第２のルーバーエレメントの羽の位置ずらし量と両ルーバーエレメントの羽板の大きさとが設定されている。
【００１４】
上記のように構成すると、第１のルーバーエレメントの隣り合う羽板の間に形成された各隙間が、内側に配置された第２のルーバーエレメントの羽板により外箱内の機器から隠されるため、第１のルーバーエレメントの羽板の間の隙間を通して外箱内に棒などの異物が挿入されるのを防ぐことができ、地上設置型変圧器装置の異物の侵入に対する保護等級を向上させることができる。
【００１５】
また上記のように構成しておくと、雨が降ったときに、外箱内に向けて斜め上方に突出した状態で設けられている第１のルーバーエレメントの各羽板が雨を受けて外側に流すので、通気口を通して外箱内に雨が侵入するのを抑制することができ、水の侵入に対する保護等級を向上させることができる。
【００１６】
上記の各ルーバーエレメントは、金属板に羽板を一体に形成しただけの簡単な構造を有するため、低コストで製作することができる。従って本発明によれば、コストの上昇を伴うことなく、地上設置型変圧器装置の外箱に異物の侵入を阻止する機能を持たせて地上設置型変圧器装置の保護等級を向上させることができる。
【００１７】
上記第１及び第２のルーバーエレメントの各羽板は、それぞれのルーバーエレメントを構成する金属板の一部をカットすることにより形成された横長のＵ字形の切り込みの内側の部分を斜めに折り曲げることにより形成されたものとすることができる。
【００１８】
上記のように羽板を設けると、各ルーバーエレメントをプレス加工により簡単に製造することができるため、各ルーバーエレメントを低コストで製造することができる。
【００１９】
本発明の好ましい態様では、上記換気口が四角形の輪郭形状を有するように形成される。第１のルーバーエレメントは、主板部を構成する四角形の底板部と該底板部の４辺から同じ側に直角に突出した４つの側板部とを有して４つの側板部の底板部と反対側の端部が開口端となっている箱状の本体部と、該本体部の開口端に形成された外鍔部とを有して、複数の通気口と羽板とが、各羽板を本体部の内側に位置させた状態で底板部に形成されている。この第１のルーバーエレメントにおいては、本体部の開口端に形成された外鍔部が取付部を構成している。また第２のルーバーエレメントは、４辺に沿う周縁部が取付け部を構成し、該取付け部により囲まれた領域が主板部となっている四角形の板からなっていて、主板部に複数の通気口と羽板とが形成されている。このように構成される場合、第１のルーバーエレメントの底板部の外面が第１のルーバーエレメントの主板部の表面となって、第１のルーバーエレメントが、その底板部の外面を外箱の外側に向けた状態で配置される。また第２のルーバーエレメントは、その羽板を第１のルーバーエレメントの羽板と対向させ、その取付部を第１のルーバーエレメントの外鍔部に重ね合わせた状態で配置され、第１のルーバーエレメントの外鍔部と第２のルーバーエレメントの取付部とがネジで共締めされて換気口の周縁部に締結される。
【００２０】
上記のように構成する場合、前記換気口の下部に、第２のルーバーエレメントに沿って流下した雨水を受ける雨受け部材を取り付け、第２のルーバーエレメントの下部に、雨受け部材内に溜まった水を第１のルーバーエレメント内に排出する排出口を形成するとともに、第１のルーバーエレメントの本体部の下端側に設けられた側板に、第１のルーバーエレメント内に流入した水を下方に落下させる水抜き孔を形成するのが好ましい。
【００２１】
上記のように構成しておくと、第２のルーバーエレメントの内側に侵入した雨水を、雨受け部材で受けて、第２のルーバーエレメントの下部に設けられた排出口と第１のルーバーエレメントの下部に設けられた水抜き孔とを通して外部に排出することができるため、ルーバーを通して侵入した雨水が外箱内に流れるのを防ぐことができ、水の侵入に対する保護等級を更に向上させることができる。
【００２２】
本発明の好ましい態様では、第１のルーバーエレメントの外面側に、該第１のルーバーエレメントの通気孔全体を塞ぐ閉止蓋を着脱可能に取り付ける閉止蓋取付け具が取り付けられる。
【００２３】
上記のように第１のルーバーエレメントの外面側に、第１のルーバーエレメントの通気孔全体を塞ぐ閉止蓋を着脱可能に取り付ける閉止蓋取付け具を取り付けておくと、必要に応じて第１のルーバーエレメントに閉止蓋を取り付けて、外箱を塵や砂埃の侵入を防ぐ防塵構造に簡単に改造することができ、塵や砂埃の侵入に対する保護等級を向上させることができる。
【発明の効果】
【００２４】
本発明によれば、外箱の換気口に取り付けるルーバーを、表面から裏面側に斜め上方に突出した複数の羽板を有する第１及び第２のルーバーエレメントにより構成して、第１及び第２のルーバーエレメントの主板部の表面をそれぞれ外箱の外側及び内側に向けるとともに、それぞれの羽板どうしを対向させ、かつ両ルーバーエレメントの羽板を上下に相対的にずらして設けることにより、外側に配置される第１のルーバーエレメントの羽板の間の各隙間を第２のルーバーエレメントの羽板により外箱内の電気機器から隠す構造としたので、ルーバーの構造を複雑にすることなく、外箱内に棒等の異物が挿入されるおそれを無くして、異物の挿入に対する保護等級を向上させることができる。
【００２５】
また本発明によれば、雨が降ったときに、外箱の内側に向って斜め上方に傾斜している第１のルーバーエレメントの各羽板により、ルーバーに当った雨を外側に流すことができるため、ルーバーの通気口を通して外箱内に雨が侵入するのを抑制して、水の侵入に対する保護等級を向上させることができる。
【００２６】
本発明によれば、金属板を貫通した各通気口の縁部から羽板を突出させただけの簡単な構造を有するルーバーエレメントにより、異物の侵入を阻止する機能を有するルーバーを構成するので、コストの上昇を招くことなく、異物の侵入に対する保護等級を向上させた地上設置型変圧器装置を得ることができる。
【図面の簡単な説明】
【００２７】
【図１】本発明の一実施形態に係わる地上設置型変圧器装置の外観を示す斜視図である。
【図２】同実施形態において変圧器装置の外箱に設けられる換気口と、該換気口に取り付けられるルーバーとを示した分解斜視図である。
【図３】（Ａ）は同実施形態で用いるルーバーを構成する第１のルーバーエレメントの正面図、（Ｂ）及び（Ｃ）はそれぞれ、（Ａ）の右側面図及び底面図、（Ｄ）は、同実施形態で用いるルーバーエレメントに羽板を形成する方法を説明する説明図である。
【図４】（Ａ）は第１のルーバーエレメントを図３（Ａ）に示されたIV−IV線に沿って断面して示した拡大断面図、（Ｂ）は第１のルーバーエレメントとともにルーバーを構成する第２のルーバーエレメントの断面図である。
【図５】（Ａ）は第１のルーバーエレメントと第２のルーバーエレメントとを換気口に取り付けてルーバーを構成した状態を示した断面図、（Ｂ）は（Ａ）のルーバー内に異物が挿入された際の状態を示した拡大断面図である。
【図６】第１のルーバーエレメントの外側に閉止蓋取り付け具を取り付けた状態を示した断面図である。
【図７】（Ａ）は従来の地上設置型変圧器装置で用いられていたルーバーを示した正面図、（Ｂ）は（Ａ）のＢ′−Ｂ′線に沿って断面して示した断面図である。
【図８】図７に示されたルーバーに異物を挿入した状態を示した拡大断面図である。
【図９】従来の地上設置型変圧器装置で用いられていた他のルーバーを示した断面図である。
【発明を実施するための形態】
【００２８】
図１ないし図６を参照して、本発明の実施形態を詳細に説明する。
図１は、本実施形態に係わる地上設置型変圧器装置の外観を示したもので、同図において、１０は幅方向に相対する一対の側壁１０ａ，１０ｂと、長手方向に相対する側壁１０ｃ，１０ｄと、天井壁１０ｅとからなる外壁と、ベース１０ｆとを備えた直方体状の外箱である。外箱１０の外壁は鋼板等の金属板からなっていて、その内部には、配電用変圧器とその付属機器とを含む電気機器が収容されている。外箱１０の一つの側壁１０ａには、４個の四角形の換気口１１，１１，…が、上下左右に並べて形成されている。また側壁１０ａに隣接する他の一つの側壁１０ｃには、同じく四角形に形成された他の２つの換気口１１（図示せず。）が上下に並べて形成されている。各換気口１１は、外箱１０内に収容された変圧器の側方に位置するように設けられ、各換気口には、外箱内の電気機器を隠した状態で外箱内の換気を行わせるために、ルーバー２０が取り付けられている。外箱１０と、その内部に収容された電気機器とにより地上設置型変圧器装置３０が構成されている。
【００２９】
外箱１０の天井壁１０ｅには、４つの吊り金具取付け用のボルト孔１０ｇが形成され、これらのボルト孔１０ｇに、変圧器装置を運搬する際に用いる吊り金具を取り付けることができるようになっている。変圧器装置を設置した後は、各ボルト孔１０ｇにボルトがねじ込まれて、このボルトにより各ボルト孔１０ｇが閉じられる。
【００３０】
図２に示されているように、本実施形態の変圧器装置で用いるルーバー２０は、第１のルーバーエレメント２１と、第２のルーバーエレメント２２とからなっている。第１のルーバーエレメント２１及び第２のルーバーエレメント２２は、換気口１１を塞ぐように配置される主板部２１ａ及び２２ａと、換気口１１の周縁部に取り付けられる取付部２１ｂ及び２２ｂとを有する金属板からなっている。第１のルーバーエレメント２１及び第２のルーバーエレメント２２のそれぞれの主板部２１ａ及び２２ａには、上下方向に並ぶ複数の横長の通気口が、それぞれの主板部２１ａ及び２２ａを板厚方向に貫通した状態で設けられ、主板部２１ａ及び２２ａにそれぞれ設けられた複数の通気口のそれぞれの内側には、それぞれの通気口の下側の縁部に基端部が一体化された状態で主板部２１ａ及び２２ａのそれぞれの表面側から裏面側に斜め上方に突出した複数の横長の羽板が設けられている。本実施形態で用いる第１のルーバーエレメント２２には、上下方向に並ぶ複数の通気口の列が、横方向に複数個並ぶように設けられている。
【００３１】
更に詳細に説明すると、第１のルーバーエレメント２１は、図３に示されたように、四角形の輪郭形状を有する底板部２３ａと底板部２３ａの４辺から同じ側に直角に突出した４つの側板部２３ｂないし２３ｅとを有して、側板部２３ｂないし２３ｅの底板部２３ａと反対側の端部側に開口部が形成された箱状の本体部２３と、本体部２３の開口部に形成された外鍔部２４とを有している。この第１のルーバーエレメントにおいては、底板部２３ａにより主板部２１ａが構成されて該底板部２３ａの外面が主板部の表面となっており、底板部２３ａの内面が主板部の裏面となっている。また外鍔部２４により取付部２１ｂが構成されている。
【００３２】
図４（Ａ）及び図５（Ｂ）に示されているように、本体部２３の底板部(主板部）２３ａには、同形状同寸法を有する複数の横長の長方形の通気口２５，２５，…が、上下方向に等ピッチ間隔で並べて形成され、複数の通気口２５，２５，…のそれぞれの内側には、複数の通気口２５，２５，…のそれぞれの下側の縁部に基端部２６ａ，２６ａ，…が一体化された状態で底板部（主板部）２３ａの表面側から裏面側に（本体部２３の内側に）斜め上方に突出した複数の横長の羽板２６，２６，…が形成されている。通気口２５及び羽板２６は、図３（Ｄ）に示したように、底板部２３ａを構成する金属板の一部をレーザ加工などによりカットすることにより形成された横長のＵ字形の切り込み２７の内側の部分２８を斜めに折り曲げることにより形成される。
【００３３】
図３（Ｃ）に示されているように、第１のルーバーエレメント２１を換気口に取付けた際に最下端に位置する側板部２３ｂを貫通させて、第１のルーバーエレメント内に流入した水を下方に落下させる水抜き孔３０が形成されている。第１のルーバーエレメントの取付け部(外鍔部）２１ｂには、該エレメントを換気口に取り付ける際に用いるネジを通すための取付け孔３１が適宜の個数設けられている。
【００３４】
第２のルーバーエレメント２２は、図２及び図４（Ｂ）に示されているように、４辺に沿う周縁部が取付け部２２ｂを構成し、該取付け部により囲まれた領域が主板部２２ａとなっている四角形の金属板からなっていて、主板部２２ａに上下方向に並ぶ複数の通気口４１，４１，…と羽板４２，４２，…とが形成されている。通気口４１，４１，…は横長の長方形状に形成され、羽板４２，４２，…は、それぞれの基端部４２ａ，４２ａ，…が通気口４１，４１，…の下端縁に一体化された状態で主板部２２ａの表面側から裏面側に斜め上方に突出するように設けられている。通気口４１及び羽板４２は、第１のルーバーエレメントの通気口２５及び羽板２６と同じ方法で形成することができる。第２のルーバーエレメント２２に設けられている複数の通気口４１及び羽板４２は同形状同寸法を有するように形成されて、上下方向に等ピッチ間隔で並ぶように設けられている。第２のルーバーエレメント２２の取付け部２２ｂには、第１のルーバーエレメントの取付け部２１ｂに設けられた取付け孔３１と同数の取付け孔が、該取付け孔３１と整合し得るように設けられている。第２のルーバーエレメント２２の下部には、通気口の列の最下端の下方に位置させて、後記する雨受け部材内に溜まった水を第１のルーバーエレメント内に排出するための排出口２２ｃ（図２参照）が形成されている。排出口２２ｃは、横方向に伸びるスリット状の形状に形成されている。
【００３５】
本発明においては、第１のルーバーエレメント２１及び第２のルーバーエレメント２２の通気口どうし及び羽板どうしを対向させた状態で配置することによりルーバーを構成する。第１及び第２のルーバーエレメント２１及び２２に設ける通気口の数及び通気口の配列パターンは、ルーバー毎に異なっていてもよいが、特定のルーバーを構成するために互いに組み合わせる第１のルーバーエレメント２１及び第２のルーバーエレメント２２にそれぞれ設ける通気口の数、配列パターン及び配列ピッチは等しく設定される。
【００３６】
また第１及び第２のルーバーエレメント２１及び２２のそれぞれの複数の羽板２６、２６，…及び４２，４２，…は、それぞれの基端部２６ａ，２６ａ，…及び４２ａ，４２ａ，…の位置を上下方向に相対的にずらした状態で設けられていて、第１のルーバーエレメント２１の隣り合う羽板の間に形成された各隙間が第２のルーバーエレメント２２の何れかの羽板により外箱１０内に収容された機器から隠されるように、第１のルーバーエレメント２１の羽板２６と第２のルーバーエレメント２２の羽板４２との間の位置ずれ量と、各羽板の大きさとが設定されている。本実施形態では、図５に示されたように、第２のルーバーエレメント２２の羽板４２の基端部４２ａを第１のルーバーエレメント２１の隣り合う羽板２６，２６の基端部２６ａ，２６ａの間の中間位置に位置させるように、第１のルーバーエレメント２１の羽板２６と第２のルーバーエレメント２２の羽板４２との間の位置ずれ量が設定されている。即ち、第１のルーバーエレメント２１の羽板２６と第２のルーバーエレメント２２の羽板４２とは、位相を１８０°異ならせて設けられている。
【００３７】
本実施形態では、図１及び図２に示されているように、外箱１０の側壁１０ａに設けられた換気口に取り付けられた各ルーバーを構成する第１及び第２のルーバーエレメント２１及び２２の通気口が、上下方向に並ぶ複数の通気口からなる通気口の列が横方向に２つ並ぶ配列パターンで配列され、外箱１０の側壁１０ｃに設けられた各ルーバーを構成する第１及び第２のルーバーエレメントの通気口は、上下方向に並ぶ複数の通気口からなる通気口の列が横方向に３つ並ぶ配列パターンで配列されている。
【００３８】
各ルーバーを構成する第１及び第２のルーバーエレメント２１及び２２は、それぞれの主板部の表面(羽板が突出していない方の面）をそれぞれ外箱１０の外側及び内側に向け、かつそれぞれの羽板２６，２６，…及び４２，４２，…どうしを対向させた状態で配置されて、両ルーバーエレメントの取付け部２１ｂ及び２２ｂが互いに重ね合わせた状態で、ネジ４５（図２参照）により共締めされて換気口１１の周縁部に締結される。
【００３９】
本実施形態では、図２に示されているように、第１のルーバーエレメント２１と第２のルーバーエレメント２２との間に、複数の通気口の列の間を仕切る仕切り板４７が配置され、この仕切り板がネジにより第１及び第２のルーバーエレメント２１及び２２に締結されている。
【００４０】
また換気口１１の下端の内側に、換気口１１の下端縁に沿って横方向に伸びる雨受け部材４８が取り付けられている。図５（Ａ）に示されているように、雨受け部材４８は、第２のルーバーエレメント２２の下端側面との間に、換気口１１の下端の縁部の上面を底面とし、長手方向の両端が閉じられた水溜め用の溝部４９を形成するように構成された板状の部材からなっていて、第１のルーバーエレメント２１及び第２のルーバーエレメント２２と共にネジ４５により共締めされて換気口１１の下端に固定されている。雨受け部材４８と第２のルーバーエレメント２２の下端との間に形成された溝部４９内の空間は、第２のルーバーエレメント２２の下端に形成された排出口２２ｃ(図２参照）を通して第１のルーバーエレメント２１の内側に連通させられている。
【００４１】
本実施形態においては、図６に示されているように、第１のルーバーエレメント２１の本体部の外面側に、該第１のルーバーエレメントの通気孔全体を塞ぐ閉止蓋５０を着脱可能に取り付ける閉止蓋取付け具５１が取り付けられている。図示の閉止蓋取り付け具５１は、換気口１１の横方向の両端の縁部に沿うように配置された一対の取付け金具５１Ａ，５１Ｂと、閉止蓋５０と第１のルーバーエレメント２１との間に介在して閉止蓋５０と第１のルーバーエレメント２１との間の間隔を保持するスペーサ５２とからなっている。
【００４２】
取付け金具５１Ａ，５１Ｂは、換気口１１の左右の両端の縁部に沿って上下に伸びるように設けられて第１及び第２のルーバーエレメント２１及び２２と共に換気口１１の左右の周縁部に締結された板状の基部５１ａと、基部５１ａの幅方向の一端から第１のルーバーエレメント２１の本体部から離れる方向に起立した起立壁部５１ｂと、起立壁部５１ｂの先端から基部５１ａと反対側に張り出した張出し部５１ｃと、基部５１ａの下端と起立壁部５１ｂの下端との間に形成された閉止蓋受け部５１ｄとを有している。取付け金具５１Ａ，５１Ｂは、それぞれの張出し部５１ｃ，５１ｃの先端を対向させた状態で配置されて、それぞれの基部５１ａ，５１ａが第１及び第２のルーバーエレメント２１及び２２の取付け部２１ｂ及び２２ｂと共にネジ４５により共締めされることにより換気口１１の周縁部に固定されている。
【００４３】
閉止蓋５０は、取付け金具５１Ａ，５１Ｂの張出し部５１ｃ，５１ｃと第１のルーバーエレメント２１の主板部２１ａとの間に挿入されて、その下端が取付け金具５１Ａ，５１Ｂの閉止蓋受け部５１ｄ，５１ｄにより受け止められることにより、第１及び第２のルーバーエレメント２１及び２２の通気口全体を覆った状態に保持される。スペーサ５２は、閉止蓋５０または第１のルーバーエレメント２１の底板部に固定しておく。
【００４４】
上記のように構成すると、外側に配置された第１のルーバーエレメント２１の隣り合う羽板２６，２６相互間の隙間Ｇ(図５Ａ，Ｂ参照）が、内側に配置された第２のルーバーエレメント２２の羽板４２により、外箱内に配置された変圧器等の機器から完全に隠されるため、図５（Ｂ）に示されているように、第１のルーバーエレメント２１の隣り合う羽板２６，２６相互間の隙間Ｇを通して棒５等の異物が挿入されたときに、その異物の挿入方向がいかなる方向であっても、当該異物が外箱内に侵入するのを阻止することができる。
【００４５】
従って、本発明によれば、第１のルーバーエレメント２１の羽板の間の隙間Ｇを通して外箱内に棒などの異物が挿入されるのを防ぐことができ、外箱内へ異物の挿入により地絡事故が発生したり、感電事故が発生したりするのを防ぐことができる。
【００４６】
また上記のように構成すると、雨が降ったときに、外箱内に向けて斜め上方に突出した状態で設けられている第１のルーバーエレメントの各羽板２６が雨を受けて外側に流すので、通気口２５を通して外箱内に雨が侵入するのを抑制することができる。
【００４７】
万一雨が通気口を通過して第２のルーバーエレメント２２の内側に侵入した場合には、第２のルーバーエレメント２２の内側を伝って流下した雨水を雨受け部材４８で受けることができ、雨受け部材４８の内側の溝部４９内に溜まった水は、第２のルーバーエレメント２２の下端に形成された排出口２２ｃ(図２参照）を通して第１のルーバーエレメント２１の内側に流入させた後、第１のルーバーエレメント２１の下端の水抜き孔３０を通して地上に排出することができる。従って、上記のように構成しておくと、外箱内に雨が侵入するのを抑制することができ、水の侵入に対する保護等級を向上させることができる。
【００４８】
また上記の実施形態のように、第１のルーバーエレメント２１の本体部２３の底板部２３ａの外面側に、第１のルーバーエレメント２１の通気孔全体を塞ぐ閉止蓋５０を着脱可能に取り付ける閉止蓋取付け具５１を取り付けておくと、必要に応じてルーバー２０に閉止蓋５０を取り付けて、外箱を塵や砂埃の侵入を防ぐ防塵構造に簡単に改造することができる。
【００４９】
上記の実施形態では、排気口１１の下端の内側に雨受け部材４８を取り付けて、この雨受け部材４８の内側に溜まった水を外部に排出し得るようにしているが、水の侵入に対する保護等級を特に向上させる必要がない場合には、雨受け部材４８は省略することができる。
【００５０】
また上記の実施形態では、第１のルーバーエレメントの外面側に、第１のルーバーエレメントの通気孔全体を塞ぐ閉止蓋を着脱可能に取り付ける閉止蓋取付け具５１を取り付けて、必要に応じて第１のルーバーエレメントに閉止蓋５０を取り付けることにより防塵構造に改良することができるようにしているが、塵や砂埃の侵入に対する保護等級を向上させる必要がない場合には、閉止蓋取付け具を省略することができる。
【符号の説明】
【００５１】
１０  外箱
１１  換気口
２０  ルーバー
２１  第１のルーバーエレメント
２１ａ  第１のルーバーエレメントの主板部
２１ｂ  第１のルーバーエレメントの取付け部
２２  第２のルーバーエレメント
２２ａ  第２のルーバーエレメントの主板部
２２ｂ  第２のルーバーエレメントの取付け部
２３  第１のルーバーエレメントの本体部
２３ａ  本体部の底板部(主板部）
２４  外鍔部(取付け部）
２５  第１のルーバーエレメントの通気口
２６  第１のルーバーエレメントの羽板
４１  第２のルーバーエレメントの通気口
４２  第２のルーバーエレメントの羽板
５０  閉止蓋
５１  閉止蓋取付け具
【図１】
0005729596.tif 000002
【図２】
0005729596.tif 000003
【図３】
0005729596.tif 000004
【図４】
0005729596.tif 000005
【図５】
0005729596.tif 000006
【図６】
0005729596.tif 000007
【図７】
0005729596.tif 000008
【図８】
0005729596.tif 000009
【図９】
0005729596.tif 000010